(57)【特許請求の範囲】
【請求項１】
施工面に固定される板状の取付金具と、取付金具にねじ止めにより結合される器体と、前記器体の内部に配設され施工面側から器体内に導入される電源線を接続する端子部と、前記器体の下面に弧状に開口する複数個の引掛栓刃挿入口に対応する部位で前記器体内にそれぞれ設けられ前記端子部に電気的に接続されるとともに引掛キャップの引掛栓刃を引掛保持する引掛刃受部と、前記器体の下端外周部に全周に亘って突出する鍔状突起からなり、照明器具の上面に開口した係合穴に前記器体が挿入された状態で前記係合穴内の被係止部と係合することにより前記照明器具の下向き荷重を受ける係止部とを備え、前記端子部が、それぞれ端子板を備える一対の端子金具と、各端子板に対向する接触片および鎖錠片を備え接触片および鎖錠片と各端子板との間にそれぞれ電源線を狭持する一対の鎖錠ばねとを備えることを特徴とする引掛シーリング。
【請求項２】
前記一対の鎖錠片に当接する一対の押圧片を備えるとともに押されると鎖錠片を端子板から引き離す向きに撓ませる解除釦を備えることを特徴とする請求項１記載の引掛シーリング。
【請求項３】
前記引掛刃受部が前記端子板から延長されていることを特徴とする請求項１または請求項２記載の引掛シーリング。
【請求項４】
前記器体の外周部における前記係止部の上方に上部ほど径を広げるテーパ部が形成されていることを特徴とする請求項１乃至３のいずれか１項に記載の引掛シーリング。
【請求項５】
前記端子部に電気的に接続され施工面側から導入される送り配線用の電源線を接続する速結端子からなる送り端子部を備えることを特徴とする請求項１乃至４のいずれか１項に記載の引掛シーリング。
【請求項６】
前記器体内にＵプラグ用の栓刃受部が設けられ、前記器体の下面に前記栓刃受部に対応するＵプラグの栓刃挿入口が開口することを特徴とする請求項１乃至５のいずれか記載の引掛シーリング。
【請求項７】
前記栓刃受部と前記引掛刃受部とが一体化されていることを特徴とする請求項６記載の引掛シーリング。
【発明の詳細な説明】
【０００１】
【発明の属する技術分野】
本発明は、引掛栓刃を接続可能な引掛シーリングに関するものである。
【０００２】
【従来の技術】
従来より、天井面等の施工面に取り付けられるとともに、照明器具に設けた引掛栓刃を接続する引掛刃受部を備える引掛シーリングが提供されている。
【０００３】
ところで、近年では天井面付近に配置した形で取り付けられる照明器具が提供されており、この種の照明器具は洋室、和室にかかわらず違和感なく使用することができるデザインを得やすく、使用者自身で取付、交換が可能であり、また昆虫の入りにくい構造を容易に実現できるなどの利点を有している。
【０００４】
この種の照明器具を引掛シーリングに取り付ける構造も各種提案されており、もっとも簡単な構造としては、引掛シーリングの引掛刃受部に接続される引掛栓刃を照明器具に設け、引掛栓刃と引掛刃受部との結合のみによって引掛シーリングと照明器具との機械的結合を行なうものがある。
【０００５】
しかしながら、この構成では、引掛シーリングと照明器具との機械的な結合箇所が引掛シーリングの中心付近の２箇所のみになり、大型の照明器具ではぐらつきやすく十分に固定することができないという問題がある。また、引掛刃受部だけで照明器具の荷重を支えることになるから、重量が比較的大きな照明器具には適用することができない。重量が比較的小さい場合でも、照明器具の重量を引掛刃受部のみで支持していると、経年的には引掛刃受部に変形を生じることがあり、接触不良につながることがある。
【０００６】
これに対して、特開平７−３７４１７号公報に記載された図４３ないし図４５に示す構成では、引掛シーリング１と照明器具２との間にアダプタ３を設けてある。つまり、この構成では、図４４、図４５のように、アダプタ３に突設した引掛栓刃４を引掛シーリング１に機械的および電気的に結合し、アダプタ３を照明器具２の中央部に開口した係合穴２ａ内に嵌めて、アダプタ３の外周面に形成した係止凹部５に対して、照明器具２の中央部に開口した係合穴２ａ内にばねなどで付勢され出没自在となったスライド部材９の係止爪９ａを係合させている。照明器具２と引掛シーリング１との電気的な接続は、アダプタ３に設けた接続コード７のコネクタ７ａを照明器具２側の被接続コネクタ２ｂに接続して行なわれる。したがって、照明器具２をアダプタ３の外周に結合することで照明器具２の固定箇所の面積を広げて照明器具２のぐらつきを防止することができる。
【０００７】
しかしながら、この構成においても照明器具２の荷重は引掛シーリング１の引掛刃受部によってのみ支持されており、電気用品取締法によれば５ｋｇを超える荷重が電気的接続部に加わらないようにしなければならないから、重量が比較的大きい照明器具２には適用することができない。また、引掛刃受部の経年的変化のおそれもある。しかも、アダプダ３を引掛シーリング１に取り付ける作業が必要になるから、取付作業には手間がかかるものである。さらに、引掛シーリング１と照明器具２との間には、引掛シーリング１とアダプタ３との結合およびアダプタ３と照明器具２との結合の２箇所の結合箇所があるから、２箇所のうちの一方でも結合状態が不完全であると照明器具２の落下のおそれが生じ、安全性の確保にはアダプタ３を設けない場合に比較してより一層の注意が必要になる。また、製品としてはアダプタ３を照明器具２に同梱して販売しなければならないから、照明器具２の販売価格が上昇することになる。加えて、引掛シーリング１と照明器具２との間にアダプタ３が存在することにより、天井面からの照明器具２の突出寸法が大きくなる。とくに、直管形ランプを用いた照明器具２ではランプをアダプタ３と同じ面内に配置することができないから、照明器具２の天井面からの突出寸法を小さくすることが困難である。
【０００８】
重量の比較的大きい照明器具に適用することができる引掛シーリング１としては、図４６に示すように取付金具８により照明器具２の荷重を受けるものが特開平６−２６７３２２号公報などに記載されている。この構成は引掛シーリング１に設けた取付金具８に対して、照明器具２に設けた係止爪９ａを係合させるものであって、照明器具２が引掛シーリング１の取付金具８に結合されることによって照明器具２を支持することができ、しかも、照明器具２の荷重を取付金具８で受けるから重量が比較的大きい照明器具２にも適用可能になると考えられる。
【０００９】
【発明が解決しようとする課題】
しかしながら、図４６に示した構成では引掛シーリング１に設けた取付金具８の周部で照明器具２の荷重を受けており、取付金具８は板金により形成され比較的撓みやすいものであるから、重量の比較的大きい照明器具２の荷重を受けていると、取付金具８が経年的に変形して取付強度が低下するおそれがあり、また地震などの振動が加わると取付金具８が撓んで照明器具２が落下する可能性もある。
【００１０】
本発明は前記事由に鑑みて為されたものであり、その目的は、重量が比較的大きい照明器具を強固に取り付けることができ、しかも取付強度の経年的な変化が生じにくい引掛シーリングを提供することにある。
【００１１】
【課題を解決するための手段】
請求項１の発明は、施工面に固定される板状の取付金具と、取付金具にねじ止めにより結合される器体と、前記器体の内部に配設され施工面側から器体内に導入される電源線を接続する端子部と、前記器体の下面に弧状に開口する複数個の引掛栓刃挿入口に対応する部位で前記器体内にそれぞれ設けられ前記端子部に電気的に接続されるとともに引掛キャップの引掛栓刃を引掛保持する引掛刃受部と、前記器体の下端外周部に全周に亘って突出する鍔状突起からなり、照明器具の上面に開口した係合穴に前記器体が挿入された状態で前記係合穴内の被係止部と係合することにより前記照明器具の下向き荷重を受ける係止部とを備え、前記端子部が、それぞれ端子板を備える一対の端子金具と、各端子板に対向する接触片および鎖錠片を備え接触片および鎖錠片と各端子板との間にそれぞれ電源線を狭持する一対の鎖錠ばねとを備えるものである。請求項２の発明は、請求項１の発明において、前記一対の鎖錠片に当接する一対の押圧片を備えるとともに押されると鎖錠片を端子板から引き離す向きに撓ませる解除釦を備えるものである。請求項３の発明は、請求項１または請求項２の発明において、前記引掛刃受部が前記端子板から延長されているものである。
【００１５】
請求項４の発明は、請求項１乃至３のいずれか１項の発明において、前記器体の外周部における前記係止部の上方に上部ほど径を広げるテーパ部が形成されているものである。
【００１６】
請求項５の発明は、請求項１乃至４のいずれか１項の発明において、前記端子部に電気的に接続され施工面側から導入される送り配線用の電源線を接続する速結端子からなる送り端子部を備えるものである。
【００１７】
請求項６の発明は、請求項１乃至５のいずれか１項の発明において、前記器体内にＵプラグ用の栓刃受部が設けられ、前記器体の下面に前記栓刃受部に対応するＵプラグの栓刃挿入口が開口するものである。
【００１９】
請求項７の発明は、請求項６の発明において、前記栓刃受部と前記引掛刃受部とが一体化されているものである。
【００２０】
【発明の実施の形態】
（第１の実施の形態）
図１ないし図１０は施工面としての天井面Ｘ（図８ないし図１０参照）に固定される取付金具４０を介して天井面Ｘに固定される器体１１を有した本実施形態の引掛シーリング１を示している。
【００２１】
引掛シーリング１は、上面が開口した有底筒状の器体１１と、器体１１の上面側から器体１１内に挿入される円板状の端子カバー１２とを備え、器体１１と端子カバー１２とは、タッピンねじである組立ねじ１３により結合される。器体１１およびカバー１２は熱硬化性樹脂であるメラミンフェノール樹脂ないしポリエステル樹脂の成形品であって難燃性を有している。
【００２２】
器体１１は水平断面円形であって、周壁上部は下部よりも直径が広がり、覆い部１１ｂが形成されている。覆い部１１ｂは器体１１の下部である収納部１１ｃの上縁から鍔状に延設され、さらに外周部が上方に立ち上がる形状に形成されている。器体１１の底壁内側面には図５のように一対の立壁１４が突設され、立壁１４の上に端子カバー１２を載置した状態で端子カバー１２を通して組立ねじ１３を立壁１４の穴１４ａに螺合させることにより器体１１と端子カバー１２とが結合される。端子カバー１２は器体１１における収納部１１ｃの上面側の開口をほぼ全面に亘って覆うものであり、直径方向の両端部に操作用開口部１２ｂがそれぞれ形成されている。ここで、両立壁１４の上に端子カバー１２を載置したときに、器体１１の上面よりも端子カバー１２の上面のほうが下方に位置するように、器体１１と端子カバー１２と立壁１４との寸法関係が設定されている（図６参照）。
【００２３】
器体１１の内部は器体１１の底壁内側面に突設された仕切壁１６により２分され、端子収納室１７が２室形成されている。仕切壁１６は器体１１の内部を２分する分離片１６ａを備え、分離片１６ａの長手方向の両端部にはそれぞれ支持リブ１６ｂが両側方に突設される。また、分離片１６ａの長手方向の中央部の両側面には受け片１６ｃが突設される。さらに、器体１１の底壁内側面には各支持リブ１６ｂに対して分離片１６ａの反対側にそれぞれ突台１８が突設されている。突台１８は、分離片１６ａに対向する中央台１８ａと、中央台１８ａの両側に延設され水平断面Ｌ字状であって先端部が分離片１６ａ側に延長されたガイドリブ１８ｂとを連続一体に備える。各突台１８の一方のガイドリブ１８ｂはそれぞれ立壁１４に連続している。また、中央台１８ａはガイドリブ１８ｂよりも高さ寸法が大きくなっている。ガイドリブ１８ｂは仕切壁１６と高さ寸法がほぼ等しく、立壁１４とともに端子カバー１２を支持する。したがって、端子カバー１２は多箇所で支持され、ぐらつかないように固定される。
【００２４】
各端子収納室１７に対応する部位において器体１１の底壁の周部には図１２に示す引掛キャップ６０の引掛栓刃６１が挿入されるほぼ円弧状の引掛栓刃挿入口１９がそれぞれ１個ずつ開口する。両引掛栓刃挿入口１９は器体１１の底壁の中心を中心とする一つの円弧上に形成され、それぞれ弧状に形成されている。引掛栓刃挿入口１９は図２における器体１１の中心から見たときの左端部に他の部位よりも幅の広い幅広部１９ａを備える。幅広部１９ａは他の部位である幅狭部１９ｂに対して内向きに突出する形で引掛栓刃挿入口１９の幅を広げている。先端部がＬ字状である引掛栓刃６１を引掛栓刃挿入口１９に挿入するには、引掛栓刃６１を幅広部１９ａから引掛栓刃挿入口１９に挿入した後に図２における右回りに回転させ、引掛栓刃６１の先端部を引掛栓刃挿入口１９の幅狭部１９ｂの周縁に重複させる。引掛栓刃挿入口１９の幅狭部１９ｂには端子金具２０に電気的に接続された引掛刃受部２２が対応しており、引掛栓刃６１の先端部が幅狭部１９ｂに導入されると、引掛栓刃６１の先端部が引掛刃受部２２に引掛保持される。
【００２５】
端子金具２０は板金により形成されたものであり器体１１内に一対設けられ、それぞれ支持リブ１６ｂに当接するとともに器体１１の底壁内側面に立設された形で配置される一対の端子板２０ａと、両端子板２０ａを連結する連結片２０ｃとによりコ字状に形成されている。また、連結片２０ｃの下縁には引掛刃受部２２が一体に延長形成される。引掛刃受部２２は端子金具２０と連続一体に形成された刃受板２２ａよりなり、刃受板２２ａは引掛栓刃挿入口１９に沿って配置される。また、刃受板２２ａにおいて引掛栓刃挿入口１９の幅広部１９ａに臨む先部は、引掛栓刃６１が刃受板２２ａの上に乗り上げやすいように先端側から上り傾斜している。つまり、この傾斜部位では刃受板２２ａと器体１１の底壁との間に隙間が形成されており、後述する引掛キャップ６０（図１２ないし図１４参照）を結合する際に、引掛栓刃６１の先端部と引掛キャップ６０（後述する）のキャップ本体６２との間に刃受板２２ａと器体１１の底壁とが挟まれると、刃受板２２ａによる上向きのばね弾性に抗しながら引掛栓刃６１の先端部が刃受版２２ａに弾接するようになっている。これにより、引掛キャップ６０のキャップ本体６２の上面と器体１１の下面とが密着する。
【００２６】
連結片２０ｃは分離片１６ａの各側面に設けた受け片１６ｃの先端面に当接するように配置され、分離片１６ａから一定の距離に保たれる。さらに、端子板２０ａは分離片１６ａに当接するとともに分離片１６ａの長手方向の両端部に設けた支持リブ１６ｂにも当接する。したがって、分離片１６ａ、支持リブ１６ｂ、受け片１６ｃにより端子金具２０が器体１１内の定位置に固定されることになる。
【００２７】
端子金具２０における各端子板２０ａは、受け片１６ｃに対して所定距離を隔てて対向しており、受け片１６ｃと端子板２０ａとの間に鎖錠ばね３２が配設される。鎖錠ばね３２は帯板の一端部をＳ字状に屈曲させて接触片３２ａを形成し、他端部をＪ字状に屈曲させて鎖錠片３２ｂを形成したものを用いてあり、接触片３２ａと鎖錠片３２ｂとが端子板２０ａに対向するように配置される。この構成によって、同じ端子金具２０に対応するように設けた一対の鎖錠ばね３２は受け片１６ｃを背にして互いに逆向きにばね力を作用させることになる。
【００２８】
しかして、図８ないし図１０に示すように天井面Ｘからの電源線Ｌを器体１１に導入するために端子カバー１２に形成した電線挿入口３３を通して鎖錠片３２ｂ側から電源線Ｌを導入すれば、接触片３２ａおよび鎖錠片３２ｂと端子板２０ａとの間に電源線Ｌを狭持することができ、このとき接触片３２ａが電源線Ｌに接触して電気的接続状態を確保し、鎖錠片３２ｂの先端縁が電源線Ｌに食い込んで電源線Ｌを抜けないように保持する。上述のように電源線Ｌを接続する端子部は、端子板２０ａと鎖錠ばね３２を用いたいわゆる速結端子を形成している。
【００２９】
ところで、端子板２０ａと鎖錠ばね３２とを用いて保持した電源線Ｌを取り外すために、器体１１内には解除釦３１が配置される。解除釦３１は突台１８の内側面に沿って仕切壁１６の長手方向に摺動可能となるように配置される。解除釦３１は端子カバー１２に設けた切欠よりなる操作用開口部１２ｂと突台１８の中央台１８ａとの間に露出する操作部３１ａを備え、鎖錠片３２ｂの一部に当接する一対の押圧片３１ｂを備える。すなわち、解除釦３１は仕切壁１６の両側に位置する一対の押圧片３１ｂを操作部３１ａを介して連続一体に連結した形状に形成され、押圧片３１ｂの先端部は鎖錠片３２ｂに当接する。また、押圧片３１ｂは端子金具２０の端子板２０ａに設けた挿入用切欠２０ｂを通して進退する。
【００３０】
しかして、電源線Ｌが保持されている状態で、操作用開口部１２ｂと中央台１８ａとに囲まれた部位にマイナスドライバ等の治具の先端部などを挿入し、操作部３１ａを押せば、押圧片３１ｂが鎖錠ばね３２の鎖錠片３２ｂを端子板２０ａから引き離す向きに撓ませるから、鎖錠片３２ｂが電源線Ｌから外れ、電源線Ｌをそのまま引き抜くことができる。
【００３１】
ここで、解除釦３１は両端子板２０ａに跨がる形で配置されており、分離片１６ａを介して隣接する一対の鎖錠ばね３２を一括して操作するように配置されている。本実施形態では二対４個の鎖錠ばね３２を設けてあり、２個の解除釦３１が配置される。ここに、１個の解除釦３１は異極の２個の鎖錠ばね３２の鎖錠片３２ｂを同時に撓ませるから、電源側の２本の電源線Ｌを同時に外すことが可能であり、操作性がよい。
【００３２】
器体１１には分離片１６ａを介して一対の端子金具２０が配置され、各端子金具２０には一対の端子板２０ａが設けられ、鎖錠ばね３２は４個設けられ、電線挿入口３３も４個設けられる。ただし、同じ端子金具２０に設けた２個の端子板２０ａは連結片２０ｃを介して電気的に接続されているから、図３において上下に並ぶ電線挿入口３３の一方を用いて電源側からの電源線を鎖錠ばね３２とで接続し、他方の電線挿入口３３を用いて接続される送り配線用の電源線を用いて他の引掛シーリングなどへの送り配線が可能になる。たとえば、複数個の引掛シーリングを並設する場合には、いずれかの引掛シーリングに電源からの電源線Ｌを接続し、隣接する各一対の引掛シーリング間で送り配線を行なえば、複数個の引掛シーリングを並列接続することができる。図８ないし図１０はこのような接続状態を示しており、図における２本の電源線Ｌのうちの一方は電源側、他方は送り配線側を示す。
【００３３】
ところで、器体１１に設けた覆い部１１ｂの上端部の２箇所には固定用切欠１１ｄが形成され、取付金具４０に設けた耳部４０ａが固定用切欠１１ｄに挿入されることによって、取付金具４０が器体１１に位置決めされるようになっている。取付金具４０はねじ孔である器体取付孔４１を有し、器体１１の挿通孔１１ｅに挿通されて器体取付孔４１に螺合する取付ねじ４２により器体１１に結合される。
【００３４】
一方、取付金具４０は円板状に形成され、中央部には電線挿入口３３や解除釦３１を露出させる開口窓４３が形成されている。開口窓４３の周囲には取付金具４０の厚み方向に打ち出した打出部４８が形成され、取付金具４０の強度を高めて撓みにくくしている。また、開口窓４３の周囲の４箇所には取付金具４０の周方向に沿った弧状の取付孔４４が形成されている。各取付孔４４は取付金具４０の上面の中心から見て左端が大径に形成された、いわゆるだるま孔状となっている。したがって、施工時には相手側部材にねじを緩く締めた状態とし、ねじの頭部を大径部に通した後に取付金具４０を回転させ、その後、ねじを締め付けるようにすれば、取付金具４０を相手側部材に固定することができる。ここで、直径方向に離れた取付孔４４間の距離はスイッチボックスのような埋込ボックス４５（図９、図１０参照）に設けた一対の舌片４５ａ間の距離に合わせてある。つまり、この種の埋込ボックス４５は配線器具用として提供されている規格品であって、舌片４５ａにおいてボックスねじ４６を螺合させる部位のピッチＷは６６．７ｍｍに設定されている。そこで、直径方向における一対の取付孔４４間のピッチも６６．７ｍｍに設定される。
【００３５】
以上のように構成されているから、図９、図１０に示すように、天井内に埋込ボックス４５が設けられているときには、取付金具４０をボックスねじ４６により埋込ボックス４５に取り付けた後に、電源線Ｌを結線し、次に、取付金具４０の耳部４０ａに器体１１の固定用切欠１１ｄを一致させて位置決めし、取付ねじ４２を用いて器体１１を取付金具４０に固定すればよい。ここで、器体１１における覆い部１１ｂはボックスねじ４６や埋込ボックス４５を覆うことができる寸法に形成されている。具体的には覆い部１１ｂの上端の直径ｓが９５ｍｍに設定されている。
【００３６】
天井面Ｘに直付けする場合には、器体１１に固定ねじを挿通するのではなく、図８に示すように取付金具４０の取付孔４４を通して固定ねじ４７を天井に螺合させる。この場合は、天井面Ｘに電源線Ｌを通すための通し孔Ｈを形成するだけで容易に施工設置することができる。
【００３７】
ところで、図６に示すように、本実施形態では器体１１の上端縁から端子カバー１２の上面までの距離ｄは６ｍｍ以上になるように設定されている。したがって、このように寸法を設定すれば、端子と取付金具４０との距離を６ｍｍ以上に保つことができ、金属の蓋と充電部との距離を６ｍｍ以上とするという電気用品法の規定を満足することができる。ここで、取付金具４０の耳部４０ａが固定用切欠１１ｄに挿入されているから、取付金具４０の厚み分だけ取付金具４０と端子カバー１２の上面との距離は近くなるが、端子の充電部は端子カバー１２の厚み分だけ下方に位置しているから、取付金具４０と端子とを６ｍｍ以上引き離すことができる。
【００３８】
器体１１の周壁外周面の下端部には係止部を構成する鍔状突起１０が全周に亘って突設される。器体１１の上部外周面および鍔状突起１０の水平断面は円形であって、器体１１の下端は直径φ（図７参照）が６５ｍｍ以下となり、器体１１の全体の高さｈは２３ｍｍ以下に形成されている。つまり、鍔部１０の外径φは６５ｍｍ以下に設定される。
【００３９】
上述のように構成された引掛シーリング１に照明器具を取り付けるには、図１０、図１１、図１４に示すように、照明器具２の器具本体５０の中央部に設けた取付具５２に形成された上下貫通の係合穴５３の対向内壁より係合穴５３内に出没自在に設けたスライド部材９の係止爪９ａを鍔状突起１０の上面に係止する。ここに、スライド部材９は鍔状突起１０の上面に係止される位置と鍔状突起１０から外れる位置との間で引掛シーリング１の直径方向に移動自在である係止爪９ａと、係止爪９ａを鍔状突起１０の上面に係止される位置に付勢する復帰ばね９ｂと、スライド部材９を復帰ばね９ｂの復帰に抗して係止爪９ａを取付具５２内へ後退させるための手動操作部９ｃとを備える。したがって、係止爪９ａを鍔状突起１０に係止させることにより、この部位で照明器具２の下向き荷重が受け止められて引掛シーリング１に対して機械的に保持されることになる。鍔状突起１０の上下方向の厚み寸法ｔ（図７参照）は３ｍｍ以上に設定されており、器体１１を上述の熱硬化性合成樹脂により形成するとともに、前記寸法に形成することによって、１０ｋｇ程度の荷重でも支持することが可能になる。前記係止爪９ａと鍔状突起１０との係止状態を外す場合には取付具５２の下面開口より臨む手動操作部９ｃを手で復帰ばね９ｂに抗するように押して取付具５２内へ係止爪９ａを後退させ、係止爪９ａと鍔状突起１０との係止状態を解除すればよい。
【００４０】
上述した構成によって、照明器具２の荷重を電気的接続部である引掛刃受部２２のみで受けるのではなく、器体１１に形成した鍔状突起１０でも受けるから、電気用品法に規定された電気的接続部に５ｋｇ以上の荷重が加わらないようにするという条件を満たしながらも、５ｋｇ以上の重量の照明器具２を取り付けることが可能になるのである。また、照明器具２との機械的結合部分が引掛刃受部２２のみではなく引掛シーリング１の周部にも機械的結合部を設けることになるから、照明器具２を固定する強度が大きくなり、照明器具２をぐらつかないように固定することができる。しかも、従来構成のように取付金具４０の周部に荷重がかかることはないから、取付金具４０が経年的に変形したり、地震などの振動によって取付金具４０が撓むことがなく、照明器具２の取付強度が大きくなる。
【００４１】
なお、照明器具２は環状の蛍光ランプ５４を備え、蛍光ランプ５４は器具本体５０の下面に設けられたランプソケット５５に電気的に接続され、かつランプソケット５５と支持ばね５６とにより保持される。また器具本体５０の下面を覆うようにセード５７が着脱可能に取り付けられる。さらに、器具本体５０からは蛍光ランプ５４を点灯させるための点灯装置（図示せず）に接続された接続コード５８が導出され、接続コード５８の先部に図１２、図１３に示す引掛キャップ６０が設けられており、図１４のように引掛キャップ６０を本実施形態の引掛シーリング１に接続することによって照明器具２に電源が供給される。
【００４２】
引掛キャップ６０は、図１２に示すように、合成樹脂のキャップ本体６２の一面から突出する一対の引掛栓刃６１と、引掛栓刃６１と一体に設けた端子金具６３とを備え、キャップ本体６２の他面に開口したコード導入口６４より内部に導入した接続コード５８を端子金具６３に接続してある（図１３参照）。
【００４３】
(第２の実施の形態)
本実施形態は、図１５ないし図２３に示すように、第１の実施の形態における構成に、平板状の差込栓刃を有したＵプラグが接続されるコンセントを付加したものである。基本的な構成は第１の実施の形態と同様であるから、第１の実施の形態と共通する構成については説明を省略し、以下では主な相違点についてのみ説明する。なお、図中において第１の実施の形態とほぼ同機能の部材には同符号を付してある。
【００４４】
本実施形態における第１の実施の形態との主な相違点は、Ｕプラグに設けた平板状の差込栓刃を挿入するための一対の差込栓刃挿入口１８を器体１１の底壁の中央部に開設し、端子金具２０にもＵプラグの差込栓刃が接続される栓刃受部２１を形成している点である。また、器体１１の底壁中央部に栓刃挿入口１８が形成されることによって、第１の実施の形態に比較すると鎖錠ばね３２が器体１１の外周側に位置し、仕切壁１６の寸法が相違するとともに、第１の実施の形態とは異なる形状の端子金具２０を収納するために、端子カバー１２の中央部に上方に突出する端子板収納部１２ｃを設けている点などに相違がある。
【００４５】
さらに具体的に説明する。端子金具２０は、互いに対向する一対の端子板２０ａを備え、各端子板２０ａにはそれぞれ接続片２０ｇ、２０ｈが一体に連続している。一方の接続片２０ｇは下方に開放されたコ字状に形成され、他方の接続片２０ｈは逆Ｌ字状に形成され、接続片２０ｇの一方の脚片と接続片２０ｈとの下端縁同士は連結片２０ｃを介して接続されている。各端子板２０ａは鎖錠ばね３２とで速結端子の端子部を構成する。
【００４６】
また、各接続片２０ｇ，２０ｈにはそれぞれ刃受ばね２０ｆが連続し、両刃受ばね２０ｆによって栓刃受部２１が形成されている。各刃受ばね２０ｆは互いに対向して配置され上下の中間部で互いに近付き下端部は下方ほど互いの距離を広げる形状に形成されている。この形状により下端側から導入される差込栓刃を両刃受ばね２０ｆ間に導入しやすくし、かつ差込栓刃を狭持する力を大きくとって接触抵抗を小さくするようになっている。
【００４７】
一方、引掛刃受部２２は第１の実施の形態では、端子金具２０と連続一体に形成された刃受板２２ａにより形成していたが、本実施形態では、接続片２０ｇの下縁に器体１１の底壁内側面に沿って配置されるかしめ片２０ｄが突設され、このかしめ片２０ｄには引掛刃受部２２がかしめ鋲２３を用いて結合される。引掛刃受部２２の構造は第１の実施の形態と同様であって、刃受板２０ａにより形成される。
【００４８】
本実施形態では、上述した形状の栓刃受部２１を設けていることによって、端子金具２０は第１の実施の形態の端子金具２０に比較すると上下方向の高さ寸法が大きくなる。そこで、端子カバー１２の中央部に端子板収納部１２ｃを突設することによって、端子金具２０を器体１１と端子カバー１２との間に収納可能としてある。他の構成および動作は第１の実施の形態と同様である。
【００４９】
（第３の実施の形態）
本実施形態は、図２４ないし図３３に示すように、基本的な構成は第１の実施の形態と同様のものである。ただし、取付金具４０において開口窓４３の形状が異なり、また開口窓４３の周囲における打出部４８を省略している。開口窓４３は第１の実施の形態では略円形であるが、本実施形態では矩形状になっている。したがって、開口面積が小さく強度が比較的大きいから打出部４８が不要になっている。
【００５０】
第１および第２の実施の形態では、引掛刃受部２２を一枚の刃受板２２ａで形成しているが、本実施形態では、２枚の刃受板２２ａ，２２ｂを重ねて形成して、引掛栓刃６１を先端部より両刃受板２２ａ，２２ｂの間に導入するようにしてある。一方の刃受板２２ａは連結片２０ｃの下縁から連続一体に延長され、他方の刃受板２２ｂは刃受板２２ａの上に載置され、かしめ鋲２３により結合される。なお、第２の実施の形態と同様に端子金具２０にかしめ片を設け、かしめ片に対して両刃受板２２ａ，２２ｂをかしめ鋲２３により固着してもよい。
【００５１】
さらに、本実施形態では、器体１１の外周面において鍔状突起１０を形成している部位の上方に、上部ほど外径を広げるように傾斜したテーパ部１１ｆを形成している。したがって、器体１１の外周には鍔状突起１０とテーパ部１１ｆとにより溝が形成されることになる。この溝内に、照明器具２のスライド部材９に設けた係止爪９ａの先端部が嵌入することによって、照明器具２が器体１１に結合される。つまり、テーパ部１１ｆが形成されていることにより、係止爪９ａの先端部が溝内に追い込まれることになり、照明器具２と器体１１との結合作業が一層容易になる。他の構成および動作は第１の実施の形態と同様である。
【００５２】
（第４の実施の形態）
本実施形態は、図３４ないし図４２に示すように、基本的な構成は第２の実施の形態と同様のものである。つまり、第３の実施の形態と比較するとＵプラグを接続するコンセントを付加した点が異なる。このため、端子金具２０は第３の実施の形態と異なるものを用いることになる。第２の実施の形態に対しては、取付金具４０において開口窓４３の形状が異なり、開口窓４３の周囲における打出部４８が省略されている。開口窓４３は第２の実施の形態では略円形であるが、本実施形態では矩形状になっている。したがって、開口面積が小さく強度が比較的大きいから打出部４８が不要になっている。
【００５３】
第１および第２の実施の形態では、引掛刃受部２２を一枚の刃受板２２ａで形成しているが、本実施形態では、２枚の刃受板２２ａ，２２ｂを重ねて形成して、引掛栓刃６１を先端部より両刃受板２２ａ，２２ｂの間に導入するようにしてある。一方の刃受板２２ａは連結片２０ｃの下縁から連続一体に延長され、他方の刃受板２２ｂは刃受板２２ａの上に載置され、かしめ鋲２３により結合される。なお、第２の実施の形態と同様に端子金具２０にかしめ片を設け、かしめ片に対して両刃受板２２ａ，２２ｂをかしめ鋲２３により固着してもよい。
【００５４】
さらに、本実施形態では、器体１１の外周面において鍔状突起１０を形成している部位の上方に、上部ほど外径を広げるように傾斜したテーパ部１１ｆを形成している。したがって、器体１１の外周には鍔状突起１０とテーパ部１１ｆとにより溝が形成されることになる。この溝内に、照明器具２のスライド部材９に設けた係止爪９ａの先端部が嵌入することによって、照明器具２が器体１１に結合される。つまり、テーパ部１１ｆが形成されていることにより、係止爪９ａの先端部が溝内に追い込まれることになり、照明器具２と器体１１との結合作業が一層容易になる。他の構成および動作は第１の実施の形態と同様である。
【００５５】
なお、前記各第１ないし第４の実施の形態では、照明器具２の荷重を受けるための突起を、器体１１の下端部外周の全周に亘る鍔状突起１０としているが、係止部としての突起は、少なくとも照明器具２側の係止爪９ａに対応する場所に設けてあればよく、上述した各実施の形態に限定されるものではない。
【００５６】
【発明の効果】
請求項１の発明は、施工面に固定される板状の取付金具と、取付金具にねじ止めにより結合される器体と、前記器体の内部に配設され施工面側から器体内に導入される電源線を接続する端子部と、前記器体の下面に弧状に開口する複数個の引掛栓刃挿入口に対応する部位で前記器体内にそれぞれ設けられ前記端子部に電気的に接続されるとともに引掛キャップの引掛栓刃を引掛保持する引掛刃受部と、前記器体の下端外周部に全周に亘って突出する鍔状突起からなり、照明器具の上面に開口した係合穴に前記器体が挿入された状態で前記係合穴内の被係止部と係合することにより前記照明器具の下向き荷重を受ける係止部とを備え、前記端子部が、それぞれ端子板を備える一対の端子金具と、各端子板に対向する接触片および鎖錠片を備え接触片および鎖錠片と各端子板との間にそれぞれ電源線を狭持する一対の鎖錠ばねとを備えるものであるから、照明器具の荷重の一部を器体に設けた係止部で支持することができ、そのため重量の大きい照明器具を取り付けることが可能になるという利点があり、とくに取付金具の周部で照明器具の荷重を受ける従来構成に比較すると、取付金具の経年的な変形や取付金具の撓みによって照明器具が外れる可能性がなく、照明器具の結合強度が高いものになる。しかも、照明器具との機械的結合箇所を引掛栓刃以外に設けているから、照明器具と確実に結合されているか否かを確認しやすく、照明器具の落下事故を防止しやすいとともに、引掛栓刃でのみ照明器具の荷重を支持するのではないから、引掛栓刃の経年的な変形を防止することができ、結果的に電気的接続部の信頼性が向上するという利点がある。また、係止部を前記器体の下端外周部に全周に亘って突出する鍔状突起としているので、係止部を器体の成形と同時に形成することができ、しかも照明器具との結合時に結合位置が限定されないから取付作業が容易となり、照明器具の被係合部の設計も容易となる。加えて、アダプタを設ける場合に比較すると施工面からの照明器具の突出寸法を小さくすることができ、また直管多灯の照明器具にも対応しやすく、しかも照明器具の係合穴に器体を嵌め込むだけで照明器具を施工面に固定することができ、その後に引掛キャップとの電気的接続を行えばよいから、照明器具の取付作業が容易である。さらに、施工面側から導入される電源線を接続する速結端子からなる端子部を備えているので、結線作業が簡単に行えるという効果もある。また、端子部が、それぞれ端子板を備える一対の端子金具と、各端子板に対向する接触片および鎖錠片を備え接触片および鎖錠片と各端子板との間にそれぞれ電源線を狭持する一対の鎖錠ばねとを備えるので、部品点数の削減とコストダウンが図れる。請求項２の発明は、請求項１の発明において、前記一対の鎖錠片に当接する一対の押圧片を備えるとともに押されると鎖錠片を端子板から引き離す向きに撓ませる解除釦を備えるものである。請求項３の発明は、請求項１または請求項２の発明において、前記引掛刃受部が前記端子板から延長されているものである。
【００６０】
請求項４の発明は、請求項１乃至３のいずれか１項の発明において、器体の外周部における係止部の上方に上部ほど径を広げるテーパ部が形成されているので、照明器具との結合時に照明器具に設けた被係止部がテーパ部に沿って係止部側に追い込まれることになり、被係止部と係止部とを確実に係合させることができる。
【００６１】
請求項５の発明は、請求項１乃至４のいずれか１項の発明において、端子部に電気的に接続され施工面側から導入される送り配線用の電源線を接続する速結端子からなる送り端子部を備えるので、他の引掛シーリングを接続するような送り配線が容易に行える。
【００６２】
請求項６の発明は、請求項１乃至５のいずれか１項の発明において、器体内にＵプラグ用の栓刃受部が設けられ、器体の下面に前記栓刃受部に対応するＵプラグの栓刃挿入口が開口するので、引掛栓刃を備えていない照明器具であってもＵプラグを用いることで電気的接続が可能になる。
【００６４】
請求項７の発明は、請求項６の発明において、栓刃受部と引掛刃受部とが一体化されているので、部品点数の削減とコストダウンが図れる。
【図面の簡単な説明】
【図１】  本発明の第１の実施の形態を示し、（ａ）は分解斜視図、（ｂ）は斜視図である。
【図２】  同上の下面図である。
【図３】  同上の平面図である。
【図４】  同上の取付金具を外した状態の平面図である。
【図５】  同上の取付金具および端子カバーを外した状態の平面図である。
【図６】  同上の図４におけるＡ−Ａ線断面図である。
【図７】  同上の側面図である。
【図８】  同上を天井面に直付けした状態の断面図である。
【図９】  同上を埋込ボックスを用いて天井面に取り付けた状態の断面図である。
【図１０】  同上を埋込ボックスを用いて天井面に取り付けるとともに照明器具を結合した状態の断面図である。
【図１１】  同上における照明器具の取付状態を説明する分解斜視図である。
【図１２】  同上に結合される引掛キャップを示し、（ａ）は引掛キャップの正面図、（ｂ）は平面図、（ｃ）は背面図、（ｄ）は下面図である。
【図１３】  同上に結合される引掛キャップに接続コードを接続した状態の平面図である。
【図１４】  同上に引掛キャップを接続した状態を示し、（ａ）は一部破断した側面図、（ｂ）は同上の下面図である。
【図１５】  本発明の第２の実施の形態を示し、（ａ）は分解斜視図、（ｂ）は斜視図である。
【図１６】  同上の下面図である。
【図１７】  同上の平面図である。
【図１８】  同上の取付金具を外した状態の平面図である。
【図１９】  同上の取付金具および端子カバーを外した状態の平面図である。
【図２０】  同上の図１８におけるＡ−Ａ線断面図である。
【図２１】  同上を天井面に直付けした状態の断面図である。
【図２２】  同上を埋込ボックスを用いて天井面に取り付けた状態の断面図である。
【図２３】  同上を天井面に直付けするとともに照明器具を結合した状態の断面図である。
【図２４】  本発明の第３の実施の形態を示し、（ａ）は分解斜視図、（ｂ）は斜視図である。
【図２５】  同上の下面図である。
【図２６】  同上の平面図である。
【図２７】  同上の取付金具を外した状態の平面図である。
【図２８】  同上の取付金具および端子カバーを外した状態の平面図である。
【図２９】  同上の図２７におけるＡ−Ａ線断面図である。
【図３０】  同上の側面図である。
【図３１】  同上を天井面に直付けした状態の断面図である。
【図３２】  同上を埋込ボックスを用いて天井面に取り付けた状態の断面図である。
【図３３】  同上を埋込ボックスを用いて天井面に取り付けるとともに照明器具を結合した状態の断面図である。
【図３４】  本発明の第４の実施の形態を示し、（ａ）は分解斜視図、（ｂ）は斜視図である。
【図３５】  同上の下面図である。
【図３６】  同上の平面図である。
【図３７】  同上の取付金具を外した状態の平面図である。
【図３８】  同上の取付金具および端子カバーを外した状態の平面図である。
【図３９】  同上の図３７におけるＡ−Ａ線断面図である。
【図４０】  同上を天井面に直付けした状態の断面図である。
【図４１】  同上を埋込ボックスを用いて天井面に取り付けた状態の断面図である。
【図４２】  同上を天井面に直付けするとともに照明器具を結合した状態の断面図である。
【図４３】  従来例における照明器具の取付状態を説明する分解斜視図である。
【図４４】  同上の照明器具の取付状態を示す一部破断側面図である。
【図４５】  同上の照明器具の取付手順を示す説明図である。
【図４６】  他の従来例を示す要部断面図である。
【符号の説明】
１  引掛シーリング
９ａ  係止爪
１０  鍔状突起
１１  器体
１１ｆ  テーパ部
１２  端子カバー
１９  引掛栓刃挿入口
２０  端子金具
２０ａ  端子板
２２  引掛刃受部
２２ａ  刃受板
３２  鎖錠ばね
３３  電線挿入口
４０  取付金具
５０  照明器具
５３  係合穴
６０  引掛キャップ
６１  引掛栓刃
Ｌ  電源線
Ｘ  天井面
【図１】
0003812169.tif 000002
【図２】
0003812169.tif 000003
【図３】
0003812169.tif 000004
【図４】
0003812169.tif 000005
【図５】
0003812169.tif 000006
【図６】
0003812169.tif 000007
【図７】
0003812169.tif 000008
【図８】
0003812169.tif 000009
【図９】
0003812169.tif 000010
【図１０】
0003812169.tif 000011
【図１１】
0003812169.tif 000012
【図１２】
0003812169.tif 000013
【図１３】
0003812169.tif 000014
【図１４】
0003812169.tif 000015
【図１５】
0003812169.tif 000016
【図１６】
0003812169.tif 000017
【図１７】
0003812169.tif 000018
【図１８】
0003812169.tif 000019
【図１９】
0003812169.tif 000020
【図２０】
0003812169.tif 000021
【図２１】
0003812169.tif 000022
【図２２】
0003812169.tif 000023
【図２３】
0003812169.tif 000024
【図２４】
0003812169.tif 000025
【図２５】
0003812169.tif 000026
【図２６】
0003812169.tif 000027
【図２７】
0003812169.tif 000028
【図２８】
0003812169.tif 000029
【図２９】
0003812169.tif 000030
【図３０】
0003812169.tif 000031
【図３１】
0003812169.tif 000032
【図３２】
0003812169.tif 000033
【図３３】
0003812169.tif 000034
【図３４】
0003812169.tif 000035
【図３５】
0003812169.tif 000036
【図３６】
0003812169.tif 000037
【図３７】
0003812169.tif 000038
【図３８】
0003812169.tif 000039
【図３９】
0003812169.tif 000040
【図４０】
0003812169.tif 000041
【図４１】
0003812169.tif 000042
【図４２】
0003812169.tif 000043
【図４３】
0003812169.tif 000044
【図４４】
0003812169.tif 000045
【図４５】
0003812169.tif 000046
【図４６】
0003812169.tif 000047